(57)【要約】【課題】全く機器の操作が出来ない特定の人との通話が可能であると共に、秘密保持がなされ、何所からでも通話が可能なテレビ電話システムを構築することが強く要望されていた。【解決手段】統合デジタル通信回線網を介して、携帯電話用テレビ電話機を親機とし、上記通信網と上記親機の両方に接続可能なデュアルモード電話機を子機として、上記子機に上記親機からの動作開始信号に対する自動応答手段と上記親機の電話番号のみが受信可能となる選択受信手段と上記親機からの切断信号により上記子機の動作が終了する終了手段と上記親機のみを呼び出す呼出信号発生手段と上記親機からのモーバイル通信を可能にするモーバイル手段と、テレビ電話通信がハンドフリーで実行可能な通信手段を設け、更に子機に、他親機からの動作開始信号に対する恒久拒否手段と他親機への呼出信号に対する恒久不発生手段を設ける事によって前記課題を解決した。【選択図】図１
2004153768.tif 000002
【特許請求の範囲】
【請求項１】
統合デジタル通信回線網を介して、携帯電話用テレビ電話機を親機とし、上記通信網と上記親機の両方に接続可能なデュアルモード電話機を子機として、上記子機が、上記親機からの動作開始信号に応じて上記子機が自動的に動作可能となる応答手段と上記子機に登録された上記親機の電話番号のみが受信可能となる選択受信手段と上記親機からの切断信号により上記子機の動作が終了する終了手段と上記親機のみを呼び出すための呼出信号発生手段と上記親機からのモーバイル通信を可能にするモーバイル手段とを有し、上記親機と上記子機が、双方向で動画像及び音声の通信が可能となる通信手段を有し、上記通信手段はハンドフリーで実行可能な手段であり、更に子機は、他親機からの動作開始信号を恒久的に拒否する恒久拒否手段と他親機を呼び出す呼出信号を恒久的に発生せしめない恒久不発生手段を有することを特徴とするテレビ電話システム。
【請求項２】
統合デジタル通信回線網用のデュアルモード電話機であって、親機からの動作開始信号に応じて自動的に動作可能となる応答手段と、上記親機の電話番号のみが受信可能となる選択受信手段と、上記親機からの切断信号により動作を終了する終了手段と、上記親機のみを呼び出すための呼出信号発生手段と、上記親機からのモーバイル通信を可能にするモーバイル手段と、双方向で動画及び音声の通信がハンドフリーで実行可能なハンドフリー通信手段と、上記親機以外の他親機から動作開始信号を恒久的に拒否する恒久拒否手段と、上記他親機を呼び出す呼出信号を恒久的に発生せしめない恒久不発生手段を有することを特徴とするテレビ電話機。
【発明の詳細な説明】
【０００１】
【発明の属する技術分野】
本発明はテレビ電話システム及びテレビ電話に関するものである。
【０００２】
【従来の技術】
近年、人口に占める老人の割合が増加し大きな社会問題となっている。比較的元気な老人も見られるが、多くの老人が病気や身体的な機能低下に悩まされた生活を送っている。これらの老人に対しての治療や介護費用は年々増大し、国の経済を大きく圧迫している。
【０００３】
治療や介護を必要とする老人やそれに準ずる人を訪問し、対面して治療や介護を行なう事は理想的ではあるが、老人の居住する場所への移動に要する時間と費用（交通費など）は無視出来ないものがある。特に居住地が遠隔地の場合、移動に要する為の時間と費用（交通費）は多大なものとなる。
【０００４】
治療や介護を行なうに当たっては、実際にその場所を訪問して行なわなければならない治療や介護もあるが、実際に訪問しなくても、映像によって、相手の顔を見ながら会話をすることによってその目的が達成出来るものもある。
【０００５】
例えばその日の身体の状態を尋ねたり、それに対する簡単な指示を与えたりする事が出来る。なによりもまず、緊急の事態が起きていないか等を確かめることが出来る。
【０００６】
大部分の老人は精神的に孤独であり、映像装置によって、単に顔を見ながら話しをするだけでも孤独が癒され、精神的な支えとなり、これの事は身体の状態を良い方向に導く結果になる。
【０００７】
しかし、一般的には老人は複雑な機器の操作は出来ない。特に寝たきり老人や手足の不自由な人は簡単な操作どころか、全く機器の操作が出来ない場合がある。
【０００８】
【発明が解決しようとする課題】
このように全く機器の操作が出来ない人とのコミュニケーションが可能であると共に、セキュリティーが確保され、何所からでもコミュニケーションのとれるシステムは従来存在しなかった。
【０００９】
安否確認、連絡、治療補助、介護補助などの作業を行なう側を親機側とし、安否確認、連絡、治療補助、介護補助を受ける側を子機側とすれば、子機側で何の操作も必要としないテレビ電話システムの出現が強く望まれていた。更に緊急時には、誰でも簡単に親機に連絡がとれ、セキュリティーが確保されることが望まれていた。
【００１０】
また安否確認、連絡、治療補助、介護補助などの作業を行なう人が何時も定められた所に居ることは可能ではあるが、大きく自由が束縛される。そこで、システムにおいても、親機に、回線のあるところであれば何所からでも子機を呼び出す事が出来るモーバイル手段を有することが重要な条件となる。
【００１１】
画像を伴う通信では、セキュリティーやプライバシーが大きな課題となる。誰でも簡単にアクセスできるようなシステムでは、このセキュリティーやプライバシーの問題を解決する事は出来ない。高いセキュリティー機能を持ちプライバシーが保護されるシステムが望まれていた。
【００１２】
最近ではパーソナルコンピューターを使うテレビ電話システムが提案されているが、老人にとっては操作が複雑な場合が多く、操作が簡単な場合でも、子機側では何らかの操作が必要となっている。このような装置において操作を全く必要としないようにするには、電源は常に入れっぱなしにする以外はなく、安全性（火災など）の問題と共に電力の無駄な消費になる。本発明はこれらの状況を鑑みてなされた発明である。
【００１３】
本発明の第一目的は、子機からの操作が全く不要なテレビ電話システム及びテレビ電話を提供することである。
【００１４】
本発明の第二目的は、子機に登録された親機の電話番号のみ受信が可能となるテレビ電話システム及びテレビ電話を提供することである。
【００１５】
本発明の第三目的は、親機・子機間で双方向で動画像及び音声の無線通信が可能となるテレビ電話システム及びテレビ電話を提供することである。
【００１６】
本発明の第四目的は、親機・子機間で双方向で動画像及び音声の無線通信がハンドフリーで常時可能となるテレビ電話システム及びテレビ電話を提供することである。
【００１７】
本発明の第五目的は、親機から親機からのモーバイル通信が可能であるテレビ電話システム及びテレビ電話を提供することである。
【００１８】
本発明の第六目的は、親機からの信号によって子機の切断が可能であるテレビ電話システム及びテレビ電話を提供することである。
【００１９】
本発明の第七目的は、子機の特定の押しボタンによって特定の親機のみを呼び出しが可能であるテレビ電話システム及びテレビ電話を提供することである。
【００２０】
【課題を解決するための手段】
本発明は統合デジタル通信回線網を介して、携帯電話用テレビ電話機を親機とし、上記通信網と上記親機の両方に接続可能なデュアルモード電話機を子機として、上記子機が、上記親機からの動作開始信号に応じて上記子機が自動的に動作可能となる応答手段と上記子機に登録された上記親機の電話番号のみが受信可能となる選択受信手段と上記親機からの切断信号により上記子機の動作がする終了終了手段と上記親機のみを呼び出すための呼出信号発生手段と上記親機からのモーバイル通信を可能にするモーバイル手段とを有し、上記親機と上記子機が、双方向で動画像及び音声の通信が可能となる通信手段を有し、上記通信手段はハンドフリーで実行可能な手段であり、更に子機は、他親機からの動作開始信号を恒久的に拒否する恒久拒否手段と他親機への呼び出す呼出信号を恒久的に発生せしめない恒久的不発生手段を有することによって、前記課題を解決したテレビ電話システムを実現したものである。
【００２１】
【発明の実施の形態】
本発明の実施の形態は、本発明は統合デジタル通信回線網を介して、携帯電話用テレビ電話機を親機とし、上記通信網と上記親機の両方に接続可能なデュアルモード電話機を子機として、上記子機が、上記親機からの動作開始信号に応じて上記子機が自動的に動作可能となる応答手段と上記子機に登録された上記親機の電話番号のみが受信可能となる選択受信手段と上記親機からの切断信号により上記子機の動作がする終了終了手段と上記親機のみを呼び出すための呼出信号発生手段と上記親機からのモーバイル通信を可能にするモーバイル手段とを有し、上記親機と上記子機が、双方向で動画像及び音声の通信が可能となる通信手段を有し、上記通信手段はハンドフリーで実行可能な手段であり、更に子機は、他親機からの動作開始信号を恒久的に拒否する恒久拒否手段と他親機への呼び出す呼出信号を恒久的に発生せしめない恒久的不発生手段を有することによって前記課題を解決したテレビ電話システムおよび上記子機に関するものである。
【００２２】
本発明において統合デジタル通信回線網とは、電話やＦＡＸ、データ通信を統合して扱うデジタル通信網であって、代表的にはＩＳＤＮと呼ばれ、日本ではＮＴＴ（株）が「ＩＳＮネット」（商標）の名称でサービスを提供している。
【００２３】
その方式は国際電気通信連合電気通信セクタ（ＩＴＵ−ＴＳ）によって標準化されている。現在各国で提供されているサービスのほとんどはハードウェアとして通常の電話線を使ったＮ−ＩＳＤＮであり、３本のチャネル（論理回線）で構成される。通信速度１６ｋｂｐｓのＤチャネル（１本）は制御用、６４ｋｂｐｓのＢチャネル（２本）は通信用である。２回線同時に使用できるので、電話をかけながらインターネットに接続したりできる。また、２回線を束ねて１２８ｋｐｂｓの高速通信を行なうことも可能である。
【００２４】
本発明において携帯電話用テレビ電話機とは、携帯用電話機にテレビ電話手段が搭載された電話機で、ＮＴＴドコモ（株）によってＰＨＳビジュアルホン（商標）及びＦＯＭＡ（商標）の２機種が提供されている。
【００２５】
本発明において、ＰＨＳビジュアルホン（商標）とはＰＨＳ方式を使った、リアルタイムで動画像の受送信が可能な携帯電話用テレビ電話機である。
【００２６】
本発明において、ＰＨＳとは設備や仕様を簡略化し、通話料を低く押さえた携帯電話の一種であって、一つの基地局がカバーする範囲が狭く、端末１台あたりの周波数帯域が携帯電話よりも広いため、データ通信の速度は３２〜６４ｋｐｂｓと携帯電話に比べて極めて高速で、快適な通信環境を実現できる方式である。音質も固定電話網並みに良く、また、基地局設備が簡易で安価な点を生かし、地下街や地下鉄駅などでの基地局設置がいち早く進み、都市部では携帯電話よりもつながりやすい。
【００２７】
登場した当初は通話中の基地局の変更（ハンドオーバー）ができず、高速移動中（電車・自動車など）に通話ができないなどの欠点があったが、そうした欠点は現在ではほとんど解決されている。その高速性により動画像の受送信が可能となっている。
【００２８】
本発明において、ＦＯＭＡ（商標）とはＮＴＴドコモ（株）が２００１年５月に試験サービスを開始し、同年１０月から本サービスを開始したＩＭＴ−２０００方式による携帯電話サービスであって、第３世代に位置する。
【００２９】
ＦＯＭＡでは国際電機通信連合（ＩＴＵ）の定めた次世代携帯電話方式の標準規格ＩＭＴ−２０００の技術仕様の一つである「Ｗ−ＣＤＭＡ」を採用している。ＩＭＴ−２０００は高速なデータ通信が特徴で、回線交換方式での通信速度は６４ｋｐｂｓである。将来的には、静止時の通信速度が上り２Ｍｂｐｓ程度まで向上するとされている。
【００３０】
従来のＰＤＣ方式と同様に、ＦＯＭＡでは高速な通信速度を生かして動画や音声を配信するサービス（ｉモーションなど）が提供されている。しかし、特に動画配信では、０．２円／１２８バイトという通常のパケット通信サービスの料金体系では通信料金が暴騰してしまうため、パケット通信をよく使うユーザー向けに大幅な割引プランが用意されている。
【００３１】
本発明において、デュアルモードテレビ電話機とはＩＳＤＮテレビ電話機とＦＯＭＡの両方とつながり動画像通信が可能な電話機でＮＴＴ（株）によってモペット（商標）という呼称で提供されている。上記のＰＨＳビジュアルホン（商標）はＩＳＤＮテレビ電話機の１種である。
【００３２】
モペットにおいては国際標準規格「ＩＴＵ−ＴＨ．３２０」に準拠したＩＳＤＮテレビ電話機や、ＦＯＭＡからの着信に自動応答できるとともに、自動応答させたい電話番号をあらかじめ電話帳（最大２００番号）に登録しておき、登録した相手だけ自動で応答させることもできる。また、受話器を置いたまま通話ができるハンズフリー機能を有し複数人でのコミュニケーションも実現できる。本体にはカメラ、カラー液晶モニタ、マイク及びスピーカが搭載されている。外部カメラからの入力や大型テレビへの出力なども可能である。
【００３３】
本発明における応答手段とは、ＦＡＸの受送信のように送る側から発せられた信号を、受ける側が自動的に認識して適切な応答を可能にする手段のことである。現在市販されているＦＡＸ付き電話機に使われている一般的な応答手段が代表的なものとして、好ましく用いられる。
【００３４】
本発明における選択受信手段とは、例えば電話を受ける側に、予め受信を受け付ける電話番号を登録しておき、この電話番号以外の相手（電話帳未登録の相手）からのかかってきた電話は受け付けない手段のことである。従来の選択受信手段を用いることができる。具体例としては、現在市販されている電話機、特に携帯電話機に用いられている迷惑メール防止用システムの選択受信手段がが代表的な手段である。
【００３５】
本発明における終了手段とは、通話状態において、相手からの信号が途絶え、一定時間経過しても相手からの信号が無い場合、受ける側が回線を自ら切断する手段のことである。この手段も電話機に限らず、色々な家電製品に用いられており、省エネルギーのための手段が種々知られており、それらが好ましく使用できる。
【００３６】
本発明における呼出信号発生手段とは、例えば電話を受ける側に、予め送信を行なう電話番号を登録しておき、特定のボタンを押すことによって、この電話番号のみに呼出信号を発生させる手段のことである。例えば、短縮電話、特定番号呼出しボタンのついた電話機が市販されているが、これらの回路が使用できる。
【００３７】
本発明におけるモーバイル手段とは、固定位置だけでなく、電話機の位置を自由に移動させても、あるいは移動中にでも通信可能な手段のことで、例えば携帯電話のモーバイル回路がそのまま使用できる。
【００３８】
本発明におけるハンドフリー通信手段とは、受話器（ハンドセット）を持たずに通話可能となる手段で、相手の声はスピーカーを通じて流れてくる。所謂スピーカーフォンといわれる公知のものが好ましく用いられ、市販の電話機で一般的にスピーカーの絵がついたボタンを押すとハンドフリーとなり、再度押すとこれが解除されるが、これに用いられている回路が利用できる。
【００３９】
このような一般的に知られている手段の組み合わせにより本発明の基礎となるシステムが構築され、これに前記恒久禁止手段と恒久不発生手段を付加させることによりシステム全体として本発明にかかる固有のテレビ電話システムが構築され、操作を誤る事もなく、システムの変更が不可能となる。
【００４０】
【実施例】
図１は本発明のシステムの１実施例を示したものである。図１において１は親機、２−１〜２−３は子機である。親機１と子機２−１〜２−３は回線３（無線）によりで接続されている。
【００４１】
回線として、ＩＳＤＮ回線網とよばれる統合デジタル通信回線網、親機としてＰＨＳビジュアルホン（商標）あるいはＦＯＭＡ（商標）、子機としてモペットを（商標）を使用する。本発明においてはＩＳＤＮ回線網を２回線同時使用する。
【００４２】
本実施例において、子機であるモペットに、親機であるＰＨＳビジュアルホンあるいはＦＯＭＡからの動作開始信号に応じて上記子機が自動的に動作可能となる応答手段と上記子機に登録された上記親機の電話番号のみが受信可能となる選択受信手段と上記親機からの切断信号により上記子機の動作が終了する終了手段と上記親機のみを呼び出すための呼出信号発生手段と上記親機からのモーバイル通信を可能にするモーバイル手段と上記親機との通信手段がハンドフリーで実行可能な手段と、他親機からの動作開始信号を拒否する拒否手段と他親機への呼び出す呼出信号を発生せしめない不発生手段を同時に保有するように設定し、設定後は緊急呼び出しボタンを除いてモペットにある全てのボタンに接触を不可能にする手段を付加することにより、上記拒否手段と不発生手段をそれぞれ拒否する前記恒久拒否手段及び恒久的に不発生にする前記恒久不発生手段とする。本発明において、これら恒久拒否手段、恒久不発生手段の全体への付加により、確実で、簡単操作で、親機、子機間で通信可能となり、本発明の目的が達成される。
【００４３】
該接触不可能にする手段としては例えば、モペットの操作面を緊急呼び出しボタン、内部スピーカー、内部マイクのそれぞれに対応する箇所を除いて硬いカバーで全面を被うと供にモペット本体に固着せしめ、容易に取り除けないようになす手段により達成される。例えば、モペット本体にある緊急呼び出しボタンに対応する位置、内部スピーカー位置に対応する位置、及び内部マイクに対応する位置にのみに開口を有する全面ハードカバーをモペットの操作面全体に強固に固着せしめる。外部スピーカーや外部マイクを使用する場合は、それぞれ内部スピーカー位置に対応する位置、及び内部マイクに対応する位置に対応する開口は設ける必要はない。
【００４４】
親機１から子機２−１を回線３を通じて呼び出すと、子機２−１は自動的に立ち上がり、親機からの信号が受けいれられるかどうか？（登録されている番号であるかどうか？）を判断し、受け入れられる場合には子機は親機と接続される。
【００４５】
もし、信号が登録されていない電話機からのものであれば、子機はこれを拒否し接続されない。
【００４６】
接続が完了すると、親機１、子機２−１間で実時間で双方向の動画像及び音声による通信が可能となる。通話が完了した後、切断は親機のほうから行なわれる。親機からの切断によって子機は自動的にＯＦＦの状態になる。
【００４７】
このようなシステムでは現在のところ回線使用料は高く、通話を効率よく行なう為に、回線の切断は親機から行なう。
【００４８】
通話を効率的に行なう方法として、例えば、親機からの呼び出し時間を予め決めておいて、子機を使用する人は予め、その時間に子機の受信装置の前に居るようにすると良い。
【００４９】
また、電話機の呼び出し音を利用して受信の予告を行なう事も出来る。すなわち親機から子機を呼び出し、接続が完了しない前に親機を切断すれば、子機からは呼び出し信号音のみが発生する。また、このような予告は本発明の電話システムとは独立したタイマーを用いて行なうことも出来る。毎日一定時刻にタイマーが鳴るようにしておけば良い。
【００５０】
子機から親機を呼び出す事は通常、必要はないが、緊急の場合には、緊急用ボタンを押す事によって子機は特定の機器（例えば親機のみに）にのみ接続する事が出来る。子機の操作面にはボタンとして、緊急呼出し用のボタンのみが存在しており、ボタンを押し間違う事はない。
【００５１】
この特定の機器は、場合によっては親機以外の機器の方が良い場合もある。ボタンを強調するために例えば色を変えるなどの手段は有効である。
【００５２】
親機１と子機２−１の通信が終了すると、次に親機は子機２−２を呼び出し通話を行なう。この様に親機１から順に子機を呼び出して、子機群と順に通話を行ない、例えば緊急の事態が起きていないかを確かめるたり、その日の身体の状態を尋ねたり、それに対する簡単な指示を与えたりする。
【００５３】
通話時間を一定の値に決めたい場合には、親機から子機に残り時間を知らせる信号を送ると良い。例えば、親機から送る画像の中にライトを点滅させたり，背景の色を変化させたりして残り時間の情報を送る事ができる。
【００５４】
本発明の他の実施例は複数台の親機を用いたシステムである。図２は他の実施例を示したものである。
【００５５】
図２において１−１〜１−３は親機、２−１〜２〜５は子機である。この構成においては、子機には複数の親機を登録しておく必要がある。
【００５６】
図３は子機に使用するモペットを示したものである。図３において４はハンドセット、５は緊急呼出しボタン、６は内部スピーカー位置、７は内部マイク位置である。モペットの操作面には図に示されるように、多くの押しボタンが並んでいる。
【００５７】
図４は本発明のテレビ電話機を示したものである。図において８は前記接触を不可能にする手段で、モペットの操作面全体を被うように設けられた全面ハードカバーであり、モペット本体に強固に固着されている。９は前記ハードカバーに設けられた、緊急呼出しボタン５を露出せしめる為の開口１、１０は前記ハードカバーに設けられた、内部スピーカー位置に対応した位置にスピーカーからの音を遮断しない為の開口２、１１は前記ハードカバーに設けられた、音をとり込む為に内部マイク位置に対応した位置に設けられた開口３である。ハンドセット４は取り除かれ、前記ハードカバーによってハンドセット下部のスイッチ（図では示されていない）は常に押された状態に保たれている。即ちハンドセットが置かれた状態と同じように保たれている。
【００５８】
本発明のシステムを用い、親機より複数の子機に対して安否確認、連絡、治療補助、介護補助などの作業を行なう事を特徴とする業務サービスを行なう事が出来る。
【００５９】
親機側は子機側と契約することによってこのサービス行なう。親機からの呼び出しは各子機ごとに定められた時刻に行なうと共に、会話も一定時間内で行なう。
【００６０】
サービス料金は子機の設置された場所や時間帯、会話時間などによって異なる。
【００６１】
親機から子機を呼び出し、会話が終了するまでのステップは次のようになる。
１    子機によって決められた時刻に親機より子機を呼び出す。
子機の番号を入力し“通話”をおす。このとき短縮番号を使用することにより番号の入力がより容易になる。
２    子機では親機からの呼び出しが登録された電話番号からのものであるかどうかを判別する。
３    呼び出しが登録された電話番号からのものでなければ回線は自動的に切断される。
４    呼び出しが登録された電話番号からのものであれば回線は接続される。
５    動画像、音声が双方向に流れ通話可能状態となる。
６    必要な時間の間、親機と子機の間で動画像、音声双方向通話が行なわれる。
７    必要な時間の後、回線は親機側より切断される。
８    必要な時間の後、子機はオフの状態に戻る。
【００６２】
【発明の効果】
本発明によって下記の効果を得ることが出来る。
１    子機側で何の操作も必要とする事無く、双方向遠隔動画像音声無線通信を行なう事が出来る。
２    安価に短時間で安否確認、連絡、治療補助、介護補助などの作業を行なうことが出来る。
３    回線のあるところであれば、何所からでも子機を呼び出す事が出来る。
４    通話時間を限定することによって効率的な会話を行なう事が出来る。
【図面の簡単な説明】
【図１】本発明の第１の実施例を説明する為の図。
【図２】本発明の第２の実施例を説明する為の図。
【図３】本発明の子機に使用するモペットの図。
【図４】本発明のテレビ電話機の図。
【符号の説明】
１                  親機（ＦＯＭＡあるいはＰＨＳビジュアルホン）
１−１〜１〜３      複数接続状態の親機（ＦＯＭＡあるいはＰＨＳビジュアルホン）
２−１〜２〜５      複数接続状態の子機（ＮＴＴ製モペット）
３                  回線（ＩＳＤＮ回線）
４                  ハンドセット
５                  緊急呼出しボタン
６                  内部スピーカー位置
７                  内部マイク位置
８                  接触を不可能にする手段である全面ハードカバー
９                  ハードカバーに設けられた開口１
１０                  ハードカバーに設けられた開口２
１１                  ハードカバーに設けられた開口３
【図１】
2004153768.tif 000003
【図２】
2004153768.tif 000004
【図３】
2004153768.tif 000005
【図４】
2004153768.tif 000006